(57)【要約】【課題】利用者が必要とする複数の情報サービスを束ねて提供することを可能とし、その際、単一のＩＤ／パスワードでの横断的な利用も可能とする。【解決手段】インターネット接続サービス事業者（ＩＳＰ）が提供する第１の情報サービスを運用するネットワークオペレーションセンター（ＮＯＣ）と、ＩＳＰ以外の者が提供する第２の情報サービスを運用する情報サービスシステムとをインターネットで接続してなり、ＮＯＣは、第１の情報サービスと第２の情報サービスの双方にアクセス可能なホームページを記憶する。ＩＳＰの会員である利用者から第２の情報サービスへ入会申請があると、ＮＯＣで会員認証されれば、新たなＩＤ／パスワードを生成しＮＯＣと情報サービスシステムとで保持する。ＩＳＰの会員である利用者からＮＯＣへホームページの送信要求は、上記新たなＩＤ／パスワードによる認証が行われることで許可される。【選択図】  図１
2004326816.tif 000002
【特許請求の範囲】
【請求項１】
インターネット接続サービス事業者が提供する少なくとも１つの情報サービスと前記インターネット接続サービス事業者以外の者が提供する少なくとも１つの情報サービスの双方にアクセス可能なホームページを記憶するホームページ記憶手段を備えたことを特徴とするインターネットによる情報サービス方式。
【発明の詳細な説明】
【技術分野】
【０００１】
本発明は、インターネットによる情報サービス方式に関し、特に利用者個別サービスの提供に適したインターネットによる情報サービス方式に関する。
【背景技術】
【０００２】
従来の、インターネットによる情報サービス方式の一例が、特開平１１−０６６１６１に記載されている。この公報に記載されたインターネットによる情報サービス方式は、利用者に対してインターネットＷＷＷ情報を利用して検索閲覧させるための手段と、提供情報を格納したデータベースと、利用者が行ったデータベース操作履歴と利用者記入情報とから作成される情報活用帳と呼ばれる手段と、電子メールサーバとから構成されている。利用者は情報を格納したデータベースの内容をインターネットＷＷＷを介して閲覧検索でき、さらに電子メールを用いた情報の送受信ができる仕組みとなっており、その際利用者のデータベース操作履歴や利用者の初期入力情報を登録した情報活用帳をサーバ側で管理し、利用者が個人情報を変更した場合、あるいはデータベースに格納された情報が変更された場合に情報活用帳の内容を更新することによって個人のニーズに応じた情報サービスを提供できるとしている。
【０００３】
【特許文献１】特開平１１−０６６１６１号公報
【特許文献２】特開平１１−１４９４５１号公報
【特許文献３】ＩＮＴＥＲＮＥＴ  ＭＡＧＡＺＩＮＥ，日本，株式会社インプレス，１９９８年  ９月  １日，Ｎｏ．４４，ｐ１７４-１７９
【発明の開示】
【発明が解決しようとする課題】
【０００４】
しかしながら、上記従来の技術には、以下のような問題点があった。
【０００５】
第１の問題点は、利用者が一つのホームページを窓口としてさまざまな情報サービスを享受したいという要求にこたえることが出来ないということである。その理由は従来技術は、あらかじめ特定されたサービスを効果的に利用者に提供する手段に関して工夫しているものであり、利用者が必要とする複数の情報サービスを束ねて提供することを想定していないためである。現在のインターネットＷＷＷの利用形態においては、利用者が主として利用する情報サービスが一つであるとしても、その情報サービスを効果的に利用するためにはその他の付随的なサービスが必要となることが多い。例えば不動産物件情報の提供サービスが利用者の主な目的である場合、検索した物件の所在地に関する生活情報や、通勤手段に関する情報を含めて提供できることによって利用者は不動産物件情報サービスを有効活用できるのである。
【０００６】
第２の問題点は、利用者が数多くの種類の情報サービスを享受したいと考えた場合サービスの数だけ情報アクセス用のＩＤ／パスワードを利用者が管理しなければならないということである。その理由は従来の方式では単一のＩＤ／パスワードで複数のサービスへのアクセス管理行うことを想定していないためである。現在のインターネットＷＷＷにおいてはさまざまな会員型サービスが存在しており、利用者にとってサービス毎にＩＤ／パスワードを管理することが大変な面倒であり、ＩＤ／パスワード管理の省力化は解決すべき重要な課題である。
【０００７】
なお、この点に関して参照される技術として、特開平１１−１４９４５１号公報に記載されたものがある。しかしながら、この技術では、利用者が入力したＩＤ／パスワードにより会員認証がなされると、ワンタイムＩＤを利用者端末に送信しており、これをインターネットで接続されたコンピュータシステムに適用した場合、ワンタイムＩＤを盗み見られるというリスクがあり、セキュリティの点で問題を有するものである。
【０００８】
本発明は、上記従来技術の問題点を解決すべくなされたものであり、その目的は、利用者が必要とする複数の情報サービスを束ねて提供することができるインターネットによる情報サービス方式、情報サービス方法及び情報サービス用プログラムを記録した記録媒体を提供することにある。
【０００９】
また本発明の他の目的は、単一のＩＤ／パスワードで複数のサービスを横断的に利用できるインターネットによる情報サービス方式、情報サービス方法及び情報サービス用プログラムを記録した記録媒体を提供することにある。
【課題を解決するための手段】
【００１０】
本発明の第１のインターネットによる情報サービス方式は、インターネット接続サービス事業者が提供する少なくとも１つの情報サービスと前記インターネット接続サービス事業者以外の者が提供する少なくとも１つの情報サービスの双方にアクセス可能なホームページを記憶するホームページ記憶手段を備えている。
【００１１】
本発明の第２のインターネットによる情報サービス方式は、インターネット接続サービス事業者が提供する少なくとも１つの情報サービスと前記インターネット接続サービス事業者以外の者が提供する少なくとも１つの情報サービスとから利用者が選択した少なくとも１つの情報サービスに係る情報を記憶するサービス利用情報記憶手段と、前記サービス利用情報記憶手段に記憶された情報により示される少なくとも１つの情報サービスにアクセス可能なホームページを自動作成するホームページ作成手段と、前記ホームページ作成手段により作成されたホームページを記憶するホームページ記憶手段とを備えている。
【００１２】
本発明の第３のインターネットによる情報サービス方式は、インターネット接続サービス事業者が提供する少なくとも１つの第１の情報サービスを運用するネットワークオペレーションセンターと、前記インターネット接続サービス事業者以外の者が提供する少なくとも１つの第２の情報サービスを運用する情報サービスシステムとをインターネットで接続してなるインターネットによる情報サービス方式であって、前記ネットワークオペレーションセンターは、前記第１の情報サービスと前記第２の情報サービスの双方にアクセス可能なホームページを記憶する記憶手段を備えている。
【００１３】
本発明の第４のインターネットによる情報サービス方式は、インターネット接続サービス事業者が提供する少なくとも１つの第１の情報サービスを運用するネットワークオペレーションセンターと、前記インターネット接続サービス事業者以外の者が提供する少なくとも１つの第２の情報サービスを運用する情報サービスシステムとをインターネットで接続してなるインターネットによる情報サービス方式であって、前記ネットワークオペレーションセンターは、前記第１の情報サービスと前記第２の情報サービスとから利用者が選択した少なくとも１つの情報サービスに係る情報を記憶するサービス利用情報記憶手段と、前記サービス利用情報記憶手段に記憶された情報により示される情報サービスにアクセス可能なホームページを自動作成するホームページ作成手段と、前記ホームページ作成手段により作成されたホームページを記憶するホームページ記憶手段とを備えている。
【００１４】
本発明の第５のインターネットによる情報サービス方式は、上記第４のインターネットによる情報サービス方式において、前記ネットワークオペレーションセンターは、利用者から前記ホームページの第１の情報に関する設定変更の要求があった場合に、当該設定変更の要求に応じて前記サービス利用情報記憶手段に記憶された情報を更新する第１の情報サービス設定手段を備え、前記情報サービスシステムは、利用者から前記ホームページの第２の情報に関する設定変更の要求があった場合に、当該設定変更の要求に応じて前記サービス利用情報記憶手段に記憶された情報を更新する第２の情報サービス設定手段を備えている。
【００１５】
本発明の第６のインターネットによる情報サービス方式は、上記第３のインターネットによる情報サービス方式において、前記情報サービスシステムは、利用者から前記第２の情報サービスへの入会申請があった場合に、該利用者が前記インターネット接続サービス事業者の会員であることの申告を行っていなければ、第１のＩＤ／パスワードを生成・保管するとともに該利用者に通知する入会審査手段と、利用者から前記ネットワークオペレーションセンターへ前記ホームページの送信要求があった場合に、該利用者が前記インターネット接続サービス事業者の会員でなければ、該利用者にＩＤ／パスワードの送信を要求し、該送信されたＩＤ／パスワードと前記入会審査手段が保管しておいた第１のＩＤ／パスワードとが一致すれば、前記ホームページの送信を前記ネットワークオペレーションセンターに指示する会員認証手段とをさらに備えている。
【００１６】
本発明の第７のインターネットによる情報サービス方式は、上記第３のインターネットによる情報サービス方式において、前記情報サービスシステムは、利用者から前記第２の情報サービスへの入会申請があった場合に、該利用者が前記インターネット接続サービス事業者の会員であることの申告を行っていれば、前記ネットワークオペレーションセンターに該利用者の認証を依頼し、認証がなされれば、第２のＩＤ／パスワードを生成・保管するとともに前記ネットワークオペレーションセンターに通知する入会審査手段と、利用者から前記ネットワークオペレーションセンターへ前記ホームページの送信要求があった場合に、該利用者が前記インターネット接続サービス事業者の会員であれば、前記ネットワークオペレーションセンターに前記第２のＩＤ／パスワードの送信を要求し、該送信された第２のＩＤ／パスワードと前記入会審査手段が保管しておいた第２のＩＤ／パスワードとが一致すれば、前記ホームページの送信を前記ネットワークオペレーションセンターに指示する会員認証手段とをさらに備えている。
【００１７】
本発明の第８のインターネットによる情報サービス方式は、インターネット接続サービス事業者が提供する少なくとも１つの情報サービスと前記インターネット接続サービス事業者以外の者が提供する少なくとも１つの情報サービスの双方にアクセス可能な複数のホームページを、互いにリンクさせて記憶するホームページ記憶手段を備えている。
【００１８】
本発明の第９のインターネットによる情報サービス方式は、インターネット接続サービス事業者が提供する少なくとも１つの情報サービスと前記インターネット接続サービス事業者以外の者が提供する少なくとも１つの情報サービスとから利用者が選択した少なくとも１つの情報サービスに係る情報を記憶するサービス利用情報記憶手段と、前記サービス利用情報記憶手段に記憶された情報の間のリンクに関する情報を記憶するリンク情報手段と、前記サービス利用情報記憶手段に記憶された情報により示される少なくとも１つの情報サービスにアクセス可能な複数のホームページを自動作成するホームページ作成手段と、前記ホームページ作成手段により作成された複数のホームページを、前記リンク情報記憶手段に記憶された情報に基づきリンクさせて記憶するホームページ記憶手段とを備えている。
【００１９】
本発明の第１０のインターネットによる情報サービス方式は、インターネット接続サービス事業者が提供する少なくとも１つの第１の情報サービスを運用するネットワークオペレーションセンターと、前記インターネット接続サービス事業者以外の者が提供する少なくとも１つの第２の情報サービスを運用する情報サービスシステムとをインターネットで接続してなるインターネットによる情報サービス方式であって、前記ネットワークオペレーションセンターは、前記第１の情報サービスと前記第２の情報サービスの双方にアクセス可能な複数のホームページを、互いにリンクさせて記憶する記憶手段を備えている。
【００２０】
本発明の第１１のインターネットによる情報サービス方式は、インターネット接続サービス事業者が提供する少なくとも１つの第１の情報サービスを運用するネットワークオペレーションセンターと、前記インターネット接続サービス事業者以外の者が提供する少なくとも１つの第２の情報サービスを運用する情報サービスシステムとをインターネットで接続してなるインターネットによる情報サービス方式であって、前記ネットワークオペレーションセンターは、前記第１の情報サービスと前記第２の情報サービスとから利用者が選択した少なくとも１つの情報サービスに係る情報を記憶するサービス利用情報記憶手段と、前記サービス利用情報記憶手段に記憶された情報の間のリンクに関する情報を記憶するリンク情報手段と、前記サービス利用情報記憶手段に記憶された情報により示される情報サービスにアクセス可能な複数のホームページを自動作成するホームページ作成手段と、前記ホームページ作成手段により作成された複数のホームページを、前記リンク情報記憶手段に記憶された情報に基づきリンクさせて記憶するホームページ記憶手段とを備えている。
【００２１】
本発明の第１のインターネットによる情報サービス方法は、インターネット接続サービス事業者が提供する少なくとも１つの情報サービスと前記インターネット接続サービス事業者以外の者が提供する少なくとも１つの情報サービスの双方にアクセス可能なホームページを作成して記憶することを特徴とする。
【００２２】
本発明の第２のインターネットによる情報サービス方法は、インターネット接続サービス事業者が提供する少なくとも１つの第１の情報サービスを運用するネットワークオペレーションセンターと、前記インターネット接続サービス事業者以外の者が提供する少なくとも１つの第２の情報サービスを運用する情報サービスシステムとをインターネットで接続してなるコンピュータネットワークシステムにおいて、前記ネットワークオペレーションセンターは、前記第１の情報サービスと前記第２の情報サービスの双方にアクセス可能なホームページを作成して記憶することを特徴とする。
【００２３】
本発明の第３のインターネットによる情報サービス方法は、上記第２のインターネットによる情報サービス方法において、前記情報サービスシステムは、利用者から前記第２の情報サービスへの入会申請があった場合に、該利用者が前記インターネット接続サービス事業者の会員であることの申告を行っていなければ、第１のＩＤ／パスワードを生成・保管するとともに該利用者に通知し、利用者から前記ネットワークオペレーションセンターへ前記ホームページの送信要求があった場合に、該利用者が前記インターネット接続サービス事業者の会員でなければ、該利用者にＩＤ／パスワードの送信を要求し、該送信されたＩＤ／パスワードと自身が保管しておいた第１のＩＤ／パスワードとが一致すれば、前記ホームページの送信を前記ネットワークオペレーションセンターに指示することを特徴とする。
【００２４】
本発明の第４のインターネットによる情報サービス方法は、上記第２のインターネットによる情報サービス方法において、前記情報サービスシステムは、利用者から前記第２の情報サービスへの入会申請があった場合に、該利用者が前記インターネット接続サービス事業者の会員であることの申告を行っていれば、前記ネットワークオペレーションセンターに該利用者の認証を依頼し、認証がなされれば、第２のＩＤ／パスワードを生成・保管するとともに前記ネットワークオペレーションセンターに通知し、利用者から前記ネットワークオペレーションセンターへ前記ホームページの送信要求があった場合に、該利用者が前記インターネット接続サービス事業者の会員であれば、前記ネットワークオペレーションセンターに前記第２のＩＤ／パスワードの送信を要求し、該送信された第２のＩＤ／パスワードと自身が保管しておいた第２のＩＤ／パスワードとが一致すれば、前記ホームページの送信を前記ネットワークオペレーションセンターに指示することを特徴とする。
【００２５】
本発明の第５のインターネットによる情報サービス方法は、インターネット接続サービス事業者が提供する少なくとも１つの情報サービスと前記インターネット接続サービス事業者以外の者が提供する少なくとも１つの情報サービスの双方にアクセス可能な複数のホームページを、互いにリンクさせて記憶することを特徴とする。
【００２６】
本発明の第１の記録媒体は、インターネット接続サービス事業者が提供する少なくとも１つの情報サービスと前記インターネット接続サービス事業者以外の者が提供する少なくとも１つの情報サービスの双方にアクセス可能なホームページを作成して記憶する処理をコンピュータに実行させるためのプログラムを記録している。
【００２７】
本発明の第２の記録媒体は、インターネット接続サービス事業者が提供する少なくとも１つの第１の情報サービスを運用するネットワークオペレーションセンターと、前記インターネット接続サービス事業者以外の者が提供する少なくとも１つの第２の情報サービスを運用する情報サービスシステムとをインターネットで接続してなるコンピュータネットワークシステムの前記ネットワークオペレーションセンターに対し、前記第１の情報サービスと前記第２の情報サービスの双方にアクセス可能なホームページを作成して記憶する処理を実行させるためのプログラムを記録している。
【００２８】
本発明の第３の記録媒体は、上記第２の記録媒体において、さらに、前記情報サービスシステムに対し、利用者から前記第２の情報サービスへの入会申請があった場合に、該利用者が前記インターネット接続サービス事業者の会員であることの申告を行っていなければ、第１のＩＤ／パスワードを生成・保管するとともに該利用者に通知する処理と、利用者から前記ネットワークオペレーションセンターへ前記ホームページの送信要求があった場合に、該利用者が前記インターネット接続サービス事業者の会員でなければ、該利用者にＩＤ／パスワードの送信を要求し、該送信されたＩＤ／パスワードと自身が保管しておいた第１のＩＤ／パスワードとが一致すれば、前記ホームページの送信を前記ネットワークオペレーションセンターに指示する処理とを実行させるためのプログラムを記録している。
【００２９】
本発明の第４の記録媒体は、上記第２の記録媒体において、さらに、前記情報サービスシステムに対し、利用者から前記第２の情報サービスへの入会申請があった場合に、該利用者が前記インターネット接続サービス事業者の会員であることの申告を行っていれば、前記ネットワークオペレーションセンターに該利用者の認証を依頼し、認証がなされれば、第２のＩＤ／パスワードを生成・保管するとともに前記ネットワークオペレーションセンターに通知する処理と、利用者から前記ネットワークオペレーションセンターへ前記ホームページの送信要求があった場合に、該利用者が前記インターネット接続サービス事業者の会員であれば、前記ネットワークオペレーションセンターに前記第２のＩＤ／パスワードの送信を要求し、該送信された第２のＩＤ／パスワードと自身が保管しておいた第２のＩＤ／パスワードとが一致すれば、前記ホームページの送信を前記ネットワークオペレーションセンターに指示する処理とを実行させるためのプログラムを記録している。
【００３０】
本発明の第５の記録媒体は、インターネット接続サービス事業者が提供する少なくとも１つの情報サービスと前記インターネット接続サービス事業者以外の者が提供する少なくとも１つの情報サービスの双方にアクセス可能な複数のホームページを作成し、互いにリンクさせて記憶する処理をコンピュータに実行させるためのプログラムを記録している。
【００３１】
本発明の記録媒体群は、上記第１乃至第５のいずれかの記録媒体に記録された前記プログラムを複数の部分に分割して該複数の部分をそれぞれ複数の記録媒体に記録してなる。
【発明の効果】
【００３２】
本発明には、利用者が必要とする複数の情報サービスを束ねて提供することができるという効果がある。
【００３３】
また本発明には、単一のＩＤ／パスワードで複数のサービスを横断的に利用できるようにすることができるという効果もある。
【発明を実施するための最良の形態】
【００３４】
次に、本発明の第１の実施の形態について図面を参照して詳細に説明する。
【００３５】
図１を参照すると、本発明の第１の実施の形態は、情報サービスへの入会処理、利用者本人だけが閲覧できるホームページ（以下、「プライベートホームページ」という）の構築／変更処理、及び、情報サービス利用処理を実現するために、利用者のコンピュータ端末１と、インターネット接続サービス事業者（ＩＳＰが利用者に対して提供する情報サービス（以下、「ＩＳＰ情報サービス」という）を運用するネットワークオペレーションセンター２と、インターネット接続サービス事業者以外の利用者に対して情報サービスを提供する者に設けられた情報サービスシステム３とを含む。ネットワークオペレーションセンター２は、情報サービス利用者の認証を行う認証サーバ２１と、情報サービスシステム３が提供するプライベートホームページを管理するホームページサーバ２２と、情報サービス利用者のサービス利用情報を管理する会員データベースサーバ２３とを備えている。
【００３６】
以下に順次、図２乃至４を参照しながら情報サービスへの入会処理、プライベートホームページ構築／変更処理、及び、情報サービス利用処理の構成を説明する。なお、図２乃至４は、図１において概略を示した本実施の形態の構成について、それぞれの処理に関与する部分のみを詳細に示したものである。
【００３７】
図２を参照すると、情報サービスへの入会処理を実現するために、情報サービスシステム３は、入会審査手段３１と、情報サービス設定手段３２とを備えている。入会審査手段３１は、利用者から受理した情報サービス利用申請に基づき入会の可否判断を行い、入会許可の場合は利用者に対して第一ＩＤ／パスワードを通知し、利用者がＩＳＰ会員であることを申告している場合には、ＩＳＰ会員認証手段２１１に対してＩＳＰ会員であることの認証を依頼し、認証の結果が正常の場合に第二ＩＤ／パスワードを生成・保管するとともに会員データベースサーバに送信する。情報サービス設定手段３２は、利用者の入会申請が許可された場合に、会員データベースサーバ２２に対してサービス利用情報を送信する。
【００３８】
認証サーバ２１は、ＩＳＰ会員認証手段２１１を備えている。ＩＳＰ会員認証手段２１１は、インターネット接続サービスに会員登録されているＩＤ／パスワード（以下、「ＩＳＰ会員ＩＤ／パスワード」という）の提示を利用者のコンピュータ端末１に対し要求し、提示されたＩＳＰ会員ＩＤ／パスワードを会員データベースサーバ２２に照会することによって会員判定を行い、判定の結果を入会審査手段３１に返却するものである。
【００３９】
会員データベースサーバ２２は、ＩＳＰ認証情報記憶領域２２１と、第二認証情報記憶領域２２２と、サービス利用情報記憶領域２２３とを備えている。ＩＳＰ認証情報記憶領域２２１にはあらかじめ利用者のＩＳＰ会員ＩＤとパスワードが記憶されている。第二認証情報記憶領域２２２には、入会審査手段３１から送信された第二ＩＤ／パスワードが記憶される。サービス利用情報記憶領域２２３には、情報サービス設定手段３２から送信されたサービス利用情報が記憶される。
【００４０】
次に図３を参照すると、プライベートホームページ構築／変更処理を実現するために、情報サービスシステム３は、情報サービス設定手段３２と、情報サービス提供手段３３とを備える。情報サービス設定手段３１は、利用者に対し利用者が使用する情報サービスの設定・変更画面を提示し、必要な設定・変更情報を取得して会員データベースサーバ２２に送信する機能を有する。情報サービス提供手段３３は、情報サービスシステム３が有する情報サービスを提供する手段であり、プライベートホームページ２３４のＨＴＭＬ文において情報サービス提供手段３３の所在情報を記述することにより利用することができる。
【００４１】
ホームページサーバ２３は、ＩＳＰ情報サービス設定手段２３１と、ホームページ作成手段２３２と、ＩＳＰ情報サービス提供手段２３３と、プライベートホームページ２３４とを備えている。ＩＳＰ情報サービス設定手段２３１は、利用者に対し利用者が使用するＩＳＰ情報サービスの設定・変更画面を提示し、必要な設定・変更情報を取得して会員データベースサーバ２２に送信する機能を有する。ホームページ作成手段２３２は、会員データベースサーバ２２のサービス利用情報記憶領域２２３に格納されたサービス利用情報に基づきプライベートホームページ２３４を作成する機能を有する。ＩＳＰ情報サービス提供手段２３３は、インターネット接続サービス事業者自身が提供する情報サービス（以下、「ＩＳＰ情報サービス」という）を提供する手段であり、プライベートホームページ２３４の仕様を記述するＨＴＭＬ文においてＩＳＰ情報サービス提供手段２３３の所在情報を記述することにより利用することができる。
【００４２】
次に図４を参照すると、情報サービス利用処理を実現するために、認証サーバ２１は、接続要求解析手段２１２を備える。接続要求解析手段２１２は、利用者がプライベートホームページ２３４にアクセスする際に送信する接続要求のパケットを解析し、すでにＩＳＰ会員認証が完了しているか否かを判定し、ＩＳＰ会員認証が完了していれば会員データベースサーバから第二ＩＤ／パスワードを取り出して情報サービスシステム３に認証を依頼する機能を有する。
【００４３】
情報サービスシステム３は、情報サービス提供手段３３と、会員認証手段３４とを備える。会員認証手段３４は、ＩＳＰ会員認証を通過していない利用者からは直接の認証要求を受け付け、第一ＩＤ／パスワードによる認証を行うとともに、ＩＳＰ会員認証を通過している利用者についてはネットワークオペレーションセンターから認証要求を受け付け、第二ＩＤ／パスワードによる認証を行う機能を有する。
【００４４】
次に図５を参照して本実施の形態における情報サービスへの入会処理の動作について詳細に説明する。
【００４５】
まず利用者はコンピュータ端末１から入会申請を情報サービスシステム３に送付する。なお、入会申請には、本人確認のための個人情報（氏名、電話番号、住所、勤務先等）、利用するＩＳＰのチェック項目（例えば、ＢＩＧＬＯＢＥ、ＩｎｆｏＷｅｂ等）、利用する情報サービスの選択項目等の情報が含まれている。
【００４６】
情報サービスシステム３は上記申請を受理し（ステップＡ１）、入会審査手段３１が本人確認を行う（ステップＡ２）。申請内容不備あるいはその他の理由で入会を拒絶する場合は利用者に対して入会拒絶処理を行う（ステップＡ３）。一方、入会が許可された場合、入会審査手段３１は、第一ＩＤ／パスワードを生成・保管する。
【００４７】
さらに利用者がＩＳＰ会員であることを申告している場合（ステップＡ４でイエス）、入会審査手段３１は、ＩＳＰ会員認証手段２１１に対してＩＳＰ会員照会依頼を送付する。ＩＳＰ会員認証手段２１１は、利用者に対してＩＳＰ会員ＩＤ／パスワードの提示を要求し、利用者から提示されたＩＳＰ会員ＩＤ／パスワードとＩＳＰ認証情報記憶領域２２１に記憶された設定情報とを照合する。照合の結果両者が一致していればＩＳＰ会員認証を完了しその結果を入会審査手段３１に送付する（ステップＡ５）。入会審査手段３１はＩＳＰ会員照会依頼の結果に基づき第二ＩＤ／パスワードを生成・保管し、会員データベースサーバ２２に対して第二ＩＤ／パスワードを送信する（ステップＡ６）。会員データベースサーバ２２は第二ＩＤ／パスワードを受信するとこれを第二認証情報記憶領域２２１に記憶する（ステップＡ７）。
【００４８】
情報サービス設定手段３２は、利用者がＩＳＰ会員である場合にはステップＡ７の処理後、利用者がＩＳＰ会員でないと判定された場合にはステップＡ４における当該判定の時に、利用者が使用する情報サービスに関するサービス利用情報を会員データベースサーバ２２に対して送信する（ステップＡ８）。会員データベースサーバ２２は、サービス利用情報記憶領域２２３に利用者が使用するサービス利用情報を記憶するとともに入会審査手段３１に対して利用者のプライベートホームページ２３４のアドレスを送信する（ステップＡ９）。入会審査手段３１はプライベートホームページ２３４のアドレス及び第一ＩＤ／パスワードを利用者に対して通知する（ステップＡ１０）。
【００４９】
以上により、本実施の形態における情報サービスへの入会処理の動作が終了する。
【００５０】
なお、上記動作例では、ステップＡ４でＩＳＰ会員の申告があるかどうかを判断する前に第一ＩＤ／パスワードを生成し、ステップＡ１０でＩＳＰ会員であるかどうかにかかわらずその第一ＩＤ／パスワードを送信しているが、後述するプライベートホームページの構築／変更処理、及び、情報サービス利用処理においては、ＩＳＰ会員ＩＤ／パスワードのみでアクセスできるようにすることが本発明の目的であるので、第一ＩＤ／パスワードは、ステップＡ４でＩＳＰ会員でないことの申告があった場合にのみ生成し、送信するようにしてもよい。
【００５１】
次に図６を参照して本実施の形態におけるプライベートホームページ２３４の構築処理の動作について詳細に説明する。
【００５２】
利用者はステップＡ８で受領したアドレス情報に基づきプライベートホームページ２３４にアクセスする。このときまず後述のステップＣ１からステップＣ５までの処理が会員認証処理として実施される（ステップＢ１）。ステップＢ１で認証の結果が正常であった場合、ホームページサーバは利用者による初回のアクセスをホームページの構築処理と判定し、利用者に対して設定・変更用のホームページを送信する（ステップＢ２）。
【００５３】
利用者が設定・変更用のホームページにおいて情報サービスに関する設定・変更を選択した場合、情報サービス設定手段３２は、サービス利用情報を利用者から取得し（ステップＢ３）、これを会員データベースサーバ２２に送信する（ステップＢ４）。会員データベースサーバ２２は受信したサービス利用情報をサービス利用情報記憶領域２２３に記憶する（ステップＢ６）。
【００５４】
一方、利用者が設定・変更用のホームページにおいてＩＳＰ情報サービスの設定・変更を選択した場合、ＩＳＰ情報サービス設定手段２３１は、サービスの設定・変更情報を利用者から取得し（ステップＢ５）、これをサービス利用情報記憶領域２２３に記憶する（ステップＢ６）。
【００５５】
次にホームページ作成手段は、ＩＳＰ情報サービス提供手段２３３のアドレス、情報サービス提供手段３３のアドレス、設定変更ボタン、などを含むプライベートホームページ２３４を生成する（ステップＢ７）。
【００５６】
以上により、本実施の形態におけるプライベートホームページの構築／変更処理の動作が終了する。
【００５７】
図７はプライベートホームページ２３４、ＩＳＰ情報サービス提供手段２３３、サービス利用情報記憶領域２２３、及び、情報サービス提供手段３３の具体例をそれぞれ示している。例えば、利用者が利用するサービスとしてＡ社情報サービスの投資情報、値洗い、約定を選択し、ＩＳＰであるＸ社の情報サービスのライフプランサービス（金融資産、投資性向）、ブックマークサービス（カーライフ）を選択したとすると、これらのサービスに関する設定情報が図７に示すようにサービス利用情報記憶領域２２３に記入される。ホームページ作成手段２３２はサービス利用情報記憶領域２２３の内容に基づき、図７に示すようなプライベートホームページ２３４を生成する。
【００５８】
また、図８は作成されたプライベートホームページ２３４と、設定・変更用のホームページ２３４２との関連を示している。ステップＢ７でプライベートホームページ２３４を作成する際には、設定・変更ボタン２３４１を押せば設定・変更用ホームページ２３４２が呼び出されるように関連づけておくようにすればよい。
【００５９】
次に図９を参照して本実施の形態における情報サービス利用処理の動作について詳細に説明する。
【００６０】
利用者が自分のプライベートホームページ２３４へのアクセスを要求すると、ホームページサーバ２３はこの要求を受信し、接続要求解析手段２１２に対して認証処理を依頼する（ステップＣ１）。接続要求解析手段２１２は利用者が送信してきた接続要求を構成するパケットを解析し、すでにＩＳＰ会員認証を通過しているかどうかを判定する（ステップＣ２）。
【００６１】
具体的には、ステップＣ１に先だって利用者がアクセスポイントにダイヤルアップ接続した時に、ＩＳＰの会員管理・認証機構（図示せず）が利用者にＩＳＰ会員ＩＤ／パスワードの提示を要求して会員認証を行い、その結果を管理しているので、接続要求解析手段２１２は、前記会員管理・認証機構に認証済みであるかどうかを問い合わせることで行うことが考えられるが、ＩＳＰ会員ＩＤ／パスワードの認証機構としては、このような方法によるものに限られない。
【００６２】
ＩＳＰ会員認証を通過している場合、接続要求解析手段２１２は会員データベースサーバ２２に照会し、該当する第二ＩＤ／パスワードを抽出しこれを会員認証手段３４に送信する（ステップＣ３）。会員認証手段３４は、受信した第二ＩＤ／パスワードと、ステップＡ６の処理後に入会審査手段３１から渡された第二ＩＤ／パスワードとが一致するかどうかを判断することにより、利用者の認証を行い、認証を通過すればその回答を接続要求解析手段２１２に返信する（ステップＣ４）。ホームページサーバ２３は接続要求解析手段２１２からの認証完了通知を受けて利用者に対してプライベートホームページ２３４を送信する（ステップＣ５）。
【００６３】
一方、ステップＣ２においてＩＳＰ会員認証を通過していない、すなわち他社ＩＳＰ経由のアクセスあるいは職場のＬＡＮ経由のアクセス等であると判定される場合、ステップＣ２にひきつづき、会員認証手段３４は利用者に対して第一ＩＤ／パスワードの提示を要求する。そして利用者が提示した第一ＩＤ／パスワードと、ステップＡ２の処理後に入会審査手段３１から渡された第一ＩＤ／パスワードとが一致するかどうかを判断することにより、利用者の認証を行い（ステップＣ６）、認証に成功した場合にはその回答を接続要求解析手段２１２に送信し、以下ステップＣ５の処理にすすむ。
【００６４】
以後、利用者が情報サービスを選択した場合は、情報サービス提供手段３３が利用者に対して情報サービスを提供する（ステップＣ７）。また、利用者がＩＳＰ情報サービスを選択した場合は、ＩＳＰ情報サービス提供手段２３３が利用者に対して情報サービスを提供する（ステップＣ８）。
【００６５】
以上により、本実施の形態における情報サービス利用処理の動作が終了する。
【００６６】
次に、本発明の第２の実施の形態について図面を参照して詳細に説明する。
【００６７】
図１０及び図１１を参照すると、本発明の第２の実施の形態は、第２の情報サービスシステム４が追加されており、さらに会員データベースサーバ２２がリンク情報記憶領域２２４を備えている点で、上記第１の実施の形態と異なる。利用者は２種類の情報サービスシステム３、４に同時に入会している場合、異なった２種類のプライベートホームページを有することになる。自分が有する２種類のホームページを統合するために、リンク情報記憶領域２２４に対し当該プライベートホームページから接続する利用者が所有する他のプライベートホームページのアドレスを記述しておく。例えば、ある利用者がＡ社とＢ社の情報サービスを利用するとする。ホームページサーバ２３はリンク情報記憶領域２２４に記載されたＢ社提供のプライベートホームページのアドレス情報をもとに、図１２のプライベートホームページ２３４３、２３４４に示すような画面を生成する。
【００６８】
なお、上記実施の形態では、情報サービスへの入会処理において、入会審査手段３１が利用者のコンピュータ端末１を使ったオンラインでの形態を前提としていたが、これをＦＡＸ、郵便等のオフラインによる形態に置き換えることもできる。
【００６９】
また、本発明の上記第１及び第２の実施の形態の他の構成として、ネットワークオペレーションセンター２又は情報サービスシステム３に対し、インターネットによる情報サービス処理を実行させるプログラムを記録する記録媒体５を備えたものも考えられる。ここで、記録媒体５は、磁気ディスク、半導体メモリその他の記録媒体であってよく、また、記録媒体５に記録されたプログラムは、複数の記録媒体からなる記録媒体群に分割して記録されていてもよい。
【００７０】
記録媒体５に記録されたプログラムは、ネットワークオペレーションセンター２又は情報サービスシステム３にロードされ、ネットワークオペレーションセンター２又は情報サービスシステム３は、そのロードされたプログラムによる制御の下、上記第１又は第２の実施の形態におけるのと同様の動作を行う。
【００７１】
本発明は、ネットワークオペレーションセンター内に利用者が必要とする複数の情報サービスを記憶する領域を設け、この領域に記憶された情報サービスにアクセス可能なホームページを自動作成するようにしたことにより、利用者が必要とする複数の情報サービスを束ねて提供することができるという効果を有している。すなわち、本発明により、複数の情報サービスを利用者が自分で統合的に管理する手間は無くなる。
【００７２】
また本発明は、ＩＳＰ会員である利用者が情報サービスを利用する場合は、ＩＳＰ会員ＩＤ／パスワードを提示すればそれをネットワークオペレーションセンターが第二ＩＤ／パスワードに変換した上で情報サービスシステムに認証依頼し、ＩＳＰ会員でない利用者が情報サービスを利用する場合は、情報サービスシステムが直接第一ＩＤ／パスワードによる認証を行うようにしたことにより、単一のＩＤ／パスワードで複数のサービスを横断的に利用することができるという効果も有している。すなわち、本発明によれば、サービス毎にＩＤ／パスワードを管理することなくきわめて秘匿性の高いサービスを維持することができる。
【図面の簡単な説明】
【００７３】
【図１】本発明の第１の実施の形態の全体構成を示すブロック図である。
【図２】本発明の第１の実施の形態の情報サービスへの入会処理に関与する構成を示すブロック図である。
【図３】本発明の第１の実施の形態のプライベートホームページの構築／変更処理に関与する構成を示すブロック図である。
【図４】本発明の第１の実施の形態の情報サービス利用処理に関与する構成を示すブロック図である。
【図５】本発明の第１の実施の形態の情報サービスへの入会処理の動作を示す流れ図である。
【図６】本発明の第１の実施の形態のプライベートホームページの構築／変更処理の動作を示す流れ図である。
【図７】本発明の第１の実施の形態のプライベートホームページの構築処理の動作の具体例を示す図である。
【図８】本発明の第１の実施の形態のプライベートホームページの設定・変更処理の動作の具体例を示す図である。
【図９】本発明の第１の実施の形態の情報サービス利用処理の動作を示す流れ図である。
【図１０】本発明の第２の実施の形態の全体構成を示すブロック図である。
【図１１】本発明の第２の実施の形態の会員データベースサーバの構成を示す図である。
【図１２】本発明の第２の実施の形態の情報サービス利用処理の動作の具体例を示す図である。
【符号の説明】
【００７４】
１      利用者のコンピュータ端末
２      ネットワークオペレーションセンター
３，４  情報サービスシステム
５      記録媒体
２１    認証サーバ
２２    会員データベースサーバ
２３    ホームページサーバ
３１    入会審査手段
３２    情報サービス設定手段
３３    情報サービス提供手段
３４    会員認証手段
２１１  ＩＳＰ会員認証手段
２１２  接続要求解析手段
２２１  ＩＳＰ認証情報記憶領域
２２２  第二認証情報記憶領域
２２３  サービス利用情報記憶領域
２２４  リンク情報記憶領域
２３１  ＩＳＰ情報サービス設定手段
２３２  ホームページ生成手段
２３３  ＩＳＰ情報サービス提供手段
２３４  プライベートホームページ
【図１】
2004326816.tif 000003
【図２】
2004326816.tif 000004
【図３】
2004326816.tif 000005
【図４】
2004326816.tif 000006
【図５】
2004326816.tif 000007
【図６】
2004326816.tif 000008
【図７】
2004326816.tif 000009
【図８】
2004326816.tif 000010
【図９】
2004326816.tif 000011
【図１０】
2004326816.tif 000012
【図１１】
2004326816.tif 000013
【図１２】
2004326816.tif 000014